(57)【要約】【課題】パチンコ遊技機に対するアウト玉タンクの位置合わせを迅速に行える、簡単な構造のアウト玉タンクを提供する。【解決手段】すり鉢状の底壁１ａを有し、アウト玉を貯留するタンク本体１と、一端開口がタンク本体の底壁のアウト玉出口２に接続され、内部をアウト玉が通過するフレキシブルパイプ３と、アウト玉の玉数を計数するカウントユニット１１とを備える。フレキシブルパイプは、曲げられた状態を保持する。フレキシブルパイプをパチンコ島台に固定する固定具６を備える。フレキシブルパイプがパチンコ島台に起立状態で固定されることにより、タンク本体がフレキシブルパイプによって支持され、さらに、フレキシブルパイプの曲がり具合が調節されることによって、タンク本体の上端面開口がアウト玉排出口に対向して配置される一方、フレキシブルパイプの他端開口がアウト玉回収樋に対向して配置されるように位置合わせされる。【選択図】図１
0003167420.tif 000002
【実用新案登録請求の範囲】
【請求項１】
パチンコ島台の各パチンコ遊技機とアウト玉回収樋との間に配置され、前記パチンコ遊技機の背面のアウト玉排出口から排出されるアウト玉を一時的に貯留し、玉数を計数しながら前記アウト玉回収樋に移送するアウト玉タンクであって、
上端面が開口するとともに、内側がすり鉢状の底壁を有し、アウト玉を貯留するタンク本体を備え、前記タンク本体の底壁最深部にはアウト玉出口が形成され、さらに、
一端開口が、前記タンク本体の外側において前記アウト玉出口に接続され、内部をアウト玉が通過するフレキシブルパイプと、を備え、前記フレキシブルパイプは、曲げられた状態を保持するように形成されており、さらに、
アウト玉の玉数を計数するカウントユニットと、
前記フレキシブルパイプを前記パチンコ島台に固定する固定具と、を備え、
前記フレキシブルパイプが、前記タンク本体が上になる配置で前記パチンコ島台に起立状態で固定されることにより、前記タンク本体が前記フレキシブルパイプによって支持され、さらに、前記フレキシブルパイプの曲がり具合が調節されることによって、前記タンク本体の上端面開口が前記アウト玉排出口の下方においてこれに対向して配置される一方、前記フレキシブルパイプの他端開口が前記アウト玉回収樋の上方においてこれに対向して配置されるように位置合わせされることを特徴とするアウト玉タンク。
【請求項２】
前記タンク本体の前記アウト玉出口には、アウト玉を一列に整列させて前記アウト玉出口に案内する整列手段が設けられ、前記整列手段は、一端が外部に開口し、他端が行き止まりになった断面がＵ字状の溝を有し、前記溝の幅ｗ、深さｄおよび長さＬが、アウト玉の直径をｓとして、それぞれ、１．１ｓ≦ｗ≦１．３ｓ、１．１ｓ≦ｄ≦１．３ｓ、１ｓ≦Ｌ≦２ｓとなるように設定され、前記整列手段は、前記溝の底面が前記タンク本体の内側底面に対向し、かつ前記溝が前記アウト玉出口に整合する配置で前記アウト玉出口を被覆するように、前記タンク本体に取付けられていることを特徴とする請求項１に記載のアウト玉タンク。
【請求項３】
前記整列手段は、実質上Ｕ字形に曲げられ、かつその一端側の開口断面が閉じられた板状体からなっていることを特徴とする請求項２に記載のアウト玉タンク。
【請求項４】
前記フレキシブルパイプの前記一端開口が、前記カウントユニットを介して前記タンク本体の前記アウト玉出口に接続されることを特徴とする請求項１〜請求項３のいずれかに記載のアウト玉タンク。
【請求項５】
前記タンク本体の外壁面には、少なくとも１本の下向きにのびる長さ調節可能な補助支持脚が設けられ、前記補助支持脚は、前記フレキシブルパイプの曲がり具合が調節されることによって前記アウト玉タンクが位置合わせされた状態で、前記補助支持脚の下端が前記固定具または前記パチンコ島台またはその両方に当接するように長さ調節されることを特徴とする請求項１〜請求項４のいずれかに記載のアウト玉タンク。
【請求項６】
前記補助支持脚は、個々のロッドエレメントを任意の引出し状態で固定可能な多段の伸縮ロッドからなっていることを特徴とする請求項５に記載のアウト玉タンク。
【請求項７】
前記固定具は、Ω状断面を有し、その凹部に前記フレキシブルパイプが嵌め込まれる固定板と、前記固定板を前記パチンコ島台に固定するための複数本のネジとからなり、前記固定板における両側の平板状部分は前記固定具の軸に直角な方向にのびるとともに、前記平板状部分の中間部が肉厚に形成され、前記補助支持脚の下端が前記中間部の上端面に当接することを特徴とする請求項５または請求項６に記載のアウト玉タンク。
【考案の詳細な説明】
【技術分野】
【０００１】
本考案は、パチンコ島台のパチンコ遊技機とアウト玉回収樋との間に配置され、パチンコ遊技機の背面のアウト玉排出口から排出されるアウト玉を一時的に貯留し、玉数を計数しながらアウト玉回収樋に移送するアウト玉タンクに関する。
【背景技術】
【０００２】
従来、パチンコ遊技場内には、複数のパチンコ島台が設置され、各パチンコ島台には、パチンコ遊技機が、背中合わせに２列に並んで取付けられている。また、各パチンコ遊技機は、背面にアウト玉排出口を備えており、それに対応して、パチンコ島台には、パチンコ遊技機毎に、アウト玉排出口から排出されるアウト玉を受けるアウト玉タンクが取付けられている。
【０００３】
また、パチンコ島台の下部における、パチンコ遊技機の２つの列の間のスペースには、当該列に沿ってのびるアウト玉回収樋が設けられており、各アウト玉タンクは、アウト玉を一時的に貯留し、玉数を計数しながらアウト玉回収樋に移送するようになっている。そして、アウト玉回収樋に回収されたアウト玉は玉揚送装置に送られる。
【０００４】
ところで、パチンコ遊技機の背面のアウト玉排出口の位置は、通常、メーカー毎に、あるいは機種毎に異なっており、そのため、パチンコ島台のパチンコ遊技機を新台に入れ替える際には、アウト玉タンクを調節して、新設のパチンコ遊技機のアウト玉排出口に位置合わせすることが必要になる。
【０００５】
このため、従来技術においては、アウト玉を一時的に貯留するタンク本体と、パチンコ島台に取付けられ、タンク本体を支持する支持台とを備え、タンク本体が、支持台に対して、上下方向、前後方向および左右方向に移動可能に、かつ各方向の所定位置にロック可能に取付けられたアウト玉タンクが存在する（例えば、特許文献１、２参照）。
【０００６】
しかしながら、パチンコ島台のパチンコ遊技機の背面側のスペースは狭く、そのため、タンク本体を支持台に対して上下、前後および左右方向にそれぞれ独立に動かしながらタンク本体の位置合わせをするには手間と時間がかかり、その結果、新台入れ替え時のアウト玉タンクの調整は、時間と労力を要する作業となっていた。
さらには、この種の従来のアウト玉タンクは構造が複雑であって、製造コストがかかり、また故障が生じやすいという問題もあった。
【先行技術文献】
【特許文献】
【０００７】
【特許文献１】特許第２７５９１４４号公報
【特許文献２】特開２００７−２８３０５１号公報
【考案の概要】
【考案が解決しようとする課題】
【０００８】
したがって、本考案の課題は、パチンコ遊技機に対するアウト玉タンクの位置合わせを迅速に行える、簡単な構造のアウト玉タンクを提供することにある。
【課題を解決するための手段】
【０００９】
上記課題を解決するため、本考案は、パチンコ島台の各パチンコ遊技機とアウト玉回収樋との間に配置され、前記パチンコ遊技機の背面のアウト玉排出口から排出されるアウト玉を一時的に貯留し、玉数を計数しながら前記アウト玉回収樋に移送するアウト玉タンクであって、上端面が開口するとともに、内側がすり鉢状の底壁を有し、アウト玉を貯留するタンク本体を備え、前記タンク本体の底壁最深部にはアウト玉出口が形成され、さらに、一端開口が、前記タンク本体の外側において前記アウト玉出口に接続され、内部をアウト玉が通過するフレキシブルパイプを備え、前記フレキシブルパイプは、曲げられた状態を保持するように形成されており、さらに、アウト玉の玉数を計数するカウントユニットと、前記フレキシブルパイプを前記パチンコ島台に固定する固定具と、を備え、前記フレキシブルパイプが、前記タンク本体が上になる配置で前記パチンコ島台に起立状態で固定されることにより、前記タンク本体が前記フレキシブルパイプによって支持され、さらに、前記フレキシブルパイプの曲がり具合が調節されることによって、前記タンク本体の上端面開口が前記アウト玉排出口の下方においてこれに対向して配置される一方、前記フレキシブルパイプの他端開口が前記アウト玉回収樋の上方においてこれに対向して配置されるように位置合わせされることを特徴とするアウト玉タンクを構成したものである。
【００１０】
上記構成において、好ましくは、前記タンク本体の前記アウト玉出口には、アウト玉を一列に整列させて前記アウト玉出口に案内する整列手段が設けられ、前記整列手段は、一端が外部に開口し、他端が行き止まりになった断面がＵ字状の溝を有し、前記溝の幅ｗ、深さｄおよび長さＬが、アウト玉の直径をｓとして、それぞれ、１．１ｓ≦ｗ≦１．３ｓ、１．１ｓ≦ｄ≦１．３ｓ、１ｓ≦Ｌ≦２ｓとなるように設定され、前記整列手段は、前記溝の底面が前記タンク本体の内側底面に対向し、かつ前記溝が前記アウト玉出口に整合する配置で前記アウト玉出口を被覆するように、前記タンク本体に取付けられている。この場合、前記整列手段は、実質上Ｕ字形に曲げられ、かつその一端側の開口断面が閉じられた板状体からなっていてもよい。
【００１１】
上記構成において、また、前記フレキシブルパイプの前記一端開口が、前記カウントユニットを介して前記タンク本体の前記アウト玉出口に接続されることが好ましい。
上記構成において、また、前記タンク本体の外壁面には、少なくとも１本の下向きにのびる長さ調節可能な補助支持脚が設けられ、前記補助支持脚は、前記フレキシブルパイプの曲がり具合が調節されることによって前記アウト玉タンクが位置合わせされた状態で、前記補助支持脚の下端が前記固定具または前記パチンコ島台またはその両方に当接するように長さ調節されるようになっていてもよい。この場合、前記補助支持脚は、個々のロッドエレメントを任意の引出し状態で固定可能な多段の伸縮ロッドからなっていることが好ましい。
また、この場合、前記固定具は、Ω状断面を有し、その凹部に前記フレキシブルパイプが嵌め込まれる固定板と、前記固定板を前記パチンコ島台に固定するための複数本のネジとからなり、前記固定板における両側の平板状部分は前記固定具の軸に直角な方向にのびるとともに、前記平板状部分の中間部が肉厚に形成され、前記補助支持脚の下端が前記中間部の上端面に当接することが好ましい。
【考案の効果】
【００１２】
本考案によれば、タンク本体をパチンコ島台に固定されたフレキシブルパイプによって支持して、タンク本体に貯留されたアウト玉がフレキシブルパイプを通じて排出されるようにし、フレキシブルパイプの曲がり具合を調節することで、タンク本体をパチンコ遊技機のアウト玉排出口に位置合わせする一方、フレキシブルパイプの排出口をアウト玉回収樋に向けるようにしたので、パチンコ島台のパチンコ遊技機背面側の狭いスペース内においても、アウト玉タンクの位置調整作業を極めて簡単にかつ短時間で行うことができ、その結果、パチンコ遊技機を新台に入れ替える際の作業時間が著しく短縮され、作業効率が格段に向上する。
また、本考案によるアウト玉タンクは、従来例のような支持台を備えておらず、極めて簡単な構造を有しており、よって、低コストで製造可能であり、また故障も生じにくい。
【図面の簡単な説明】
【００１３】
【図１】（Ａ）は、本考案の１実施例によるパチンコ遊技機のアウト玉タンクの斜視図であり、（Ｂ）は、（Ａ）の整列手段の拡大斜視図である。
【図２】（Ａ）は、図１（Ａ）のＸ−Ｘ線に沿ったタンク本体断面を示す側面図であり、（Ｂ）は、図１（Ａ）のＹ−Ｙ線に沿ったタンク本体断面を示す側面図である。
【図３】図１のアウト玉タンクのパチンコ島台への取付け状態を示す斜視図である。
【図４】本考案の別の実施例によるアウト玉タンクの側面図である。
【図５】図４のアウト玉タンクのパチンコ島台への取付け状態を示す斜視図である。
【考案を実施するための形態】
【００１４】
以下、添付図面を参照して本考案の好ましい実施例を説明する。図１（Ａ）は、本考案の１実施例によるパチンコ遊技機のアウト玉タンクの斜視図である。また、図２（Ａ）は、図１（Ａ）のＸ−Ｘ線に沿ったタンク本体断面を示す側面図であり、図２（Ｂ）は図１（Ａ）のＹ−Ｙ線に沿ったタンク本体断面を示す側面図である。
図１（Ａ）および図２を参照して、本考案によれば、アウト玉タンクは、上端面が開口するとともに、内側がすり鉢状の底壁１ａを有し、アウト玉を貯留するタンク本体１を備えている。そして、タンク本体１の底壁最深部にはアウト玉出口２が形成される。アウト玉タンクは、また、一端開口が、タンク本体の外側においてアウト玉出口２に接続され、内部をアウト玉が通過するフレキシブルパイプ３を備えている。
【００１５】
この場合、フレキシブルパイプ３の一端開口は、アウト玉の球数を計数するカウントユニット１１を介してアウト玉出口２に接続される。カウントユニット１１としては、公知の適当なものが使用可能である。なお、この実施例では、カウントユニット１１をタンク本体１およびフレキシブルパイプ３間に配置したが、カウントユニット１１をフレキシブルパイプ３の途中に配置してもよいし、あるいは、カウントユニット１１をフレキシブルパイプ３の先端（他端開口）に接続してもよい。
【００１６】
タンク本体１の開口断面の形状は特に限定されないが、図示の実施例のように、長方形状を有していることが好ましい。タンク本体１が長方形状の開口断面を有している場合には、タンク本体１は、一方の長辺側がパチンコ遊技機の裏面に向くように配置される。また、タンク本体１の開口断面の縦横の長さ、および深さは、パチンコ遊技機のアウト玉排出口から排出されるアウト玉を、常時溢れることなく受けることができる大きさに設定される。
【００１７】
また、タンク本体１のアウト玉出口２の開口断面は、アウト玉が１個づつ通過可能な大きさに設定されることが好ましい。この場合、アウト玉出口２には、アウト玉を一列に整列させてアウト玉出口に案内する整列手段４が設けられる。整列手段４は、この実施例では、図１（Ｂ）に示すように、実質上Ｕ字形に曲げられ、かつその一端側の開口断面が閉じられた板状体からなっている。
【００１８】
整列手段４の構成は、この実施例のものに限定されず、一端５ａが外部に開口し、他端５ｂが行き止まりになった断面がＵ字状の溝５を有し、溝５の幅ｗ、深さｄおよび長さＬが、アウト玉の直径をｓとして、それぞれ、１．１ｓ≦ｗ≦１．３ｓ、１．１ｓ≦ｄ≦１．３ｓ、１ｓ≦Ｌ≦２ｓとなるように設定されるものであればよい。
【００１９】
そして、整列手段４は、溝５の底面がタンク本体１の内側底面に対向し、かつ溝５がアウト玉出口２に整合する配置でアウト玉出口２を被覆するように、タンク本体１に取付けられる。
こうして、アウト玉出口２に整列手段４を設けることにより、アウト玉出口２における玉詰まりが確実に防止される。
【００２０】
フレキシブルパイプ３は、曲げられた状態を保持するように形成されている。この場合、フレキシブルパイプ３は、タンク本体１を上にした配置で起立状態に固定された場合に、タンク本体１が空の状態からアウト玉の貯留された状態に至っても、容易に曲げ変形しないだけの十分な形状保持力を有していることが必要である。
フレキシブルパイプ３の材質は特に限定されないが、フレキシブルパイプ３として、例えば、公知のステンレススチール製のフレキシ管を使用することができる。
【００２１】
アウト玉タンクは、さらに、フレキシブルパイプ３をパチンコ島台に固定する固定具６を備えている。固定具６としては、タンク本体１が取付けられたフレキシブルパイプ３をパチンコ島台にしっかりと固定可能な公知の適当なものを使用することができる。
この実施例では、固定具６は、Ω状断面を有し、その凹部にフレキシブルパイプ３が嵌め込まれる固定板６ａと、この固定板６ａをパチンコ島台に固定するための複数本のネジ６ｂとからなっている。
【００２２】
そして、図３に示すように、フレキシブルパイプ３が、タンク本体１が上になる配置で、固定具６によってパチンコ島台７に起立状態で固定されることにより、タンク本体１がフレキシブルパイプ３によって支持される。さらに、フレキシブルパイプ３の曲がり具合が調節されることによって、タンク本体１の上端面開口がパチンコ遊技機９のアウト玉排出口１０の下方においてこれに対向して配置される一方、フレキシブルパイプ３の他端開口がアウト玉回収樋８の上方においてこれに対向して配置されるように位置合わせがなされる。
【００２３】
こうして、タンク本体１をパチンコ島台７に固定されたフレキシブルパイプ３によって支持して、タンク本体１に貯留されたアウト玉がフレキシブルパイプ３を通じて排出されるようにし、フレキシブルパイプ３の曲がり具合を調節することで、タンク本体１をパチンコ遊技機９のアウト玉排出口１１に位置合わせする一方、フレキシブルパイプ３の排出口をアウト玉回収樋８に向けるようにしたので、パチンコ島台７のパチンコ遊技機背面側の狭いスペース内においても、アウト玉タンクの位置調整作業を極めて簡単にかつ短時間で行うことができる。その結果、パチンコ遊技機９の新台入れ替え時の作業時間が著しく短縮され、作業効率が格段に向上する。
また、本考案によれば、従来のような、タンク本体を前後、左右および上下方向に動かすための支持台が不要となり、アウト玉タンクの構造が非常に簡単になる。それに伴い、アウト玉タンクの低コスト化が図られ、また故障回数も減る。
【００２４】
図４は、本発明の別の実施例によるアウト玉タンクの側面図であり、図５は、図４のアウト玉タンクのパチンコ島台への取付け状態を示す斜視図である。この実施例は、図１〜図３に示した実施例のタンク本体に補助支持脚を追加し、それに対応してフレキシブルパイプの固定具を変形した点のみが異なる。したがって、図４および図５中、図１〜図３に示したものと同じ構成要素には同一番号を付して、詳細な説明を省略する。
【００２５】
図４を参照して、この実施例では、タンク本体１の外壁面に、少なくとも１本（この実施例では２本）の下向きにのびる長さ調節可能な補助支持脚１２ａ、１２ｂが設けられる。補助支持脚１２ａ、１２ｂとしては、長さ調節可能なものであれば、公知の適当なものが使用できる。この実施例では、補助支持脚１２ａ、１２ｂは、個々のロッドエレメントを任意の引出し状態で固定可能な多段の伸縮ロッドからなっている。
【００２６】
また、図５に示すように、この実施例では、固定具６’のΩ状断面の固定板６ａ’の両側の平板状部分が固定具６’の軸に直角な方向に延長され、この平板状部分の中間部６ｃ’が肉厚に形成される。
【００２７】
そして、補助支持脚１２ａ、１２ｂは、フレキシブルパイプ３の曲がり具合が調節されることによってアウト玉タンクが位置合わせされた状態で、補助支持脚１２ａ、１２ｂの下端が固定板６ａ’の中間部６ｃ’の上端面に当接するように長さ調節される。
【００２８】
この実施例によれば、万一、タンク本体１に一時的に貯留されるアウト玉の玉数が予想された個数を超え、その結果、フレキシブルパイプ３だけではタンク本体１を支持することができなくなった場合でも、補助支持脚１２ａ、１２ｂが機能することによって、タンク本体１は予めセットされた位置および姿勢を維持することができ、タンク本体１からアウト玉が溢れてしまうことがない。
【００２９】
なお、この実施例では、補助支持脚１２ａ、１２ｂの下端がいずれも固定具６’（固定板６ａ’）に当接するようになっているが、アウト玉タンクの位置合わせがされたときのタンク本体１の位置に応じて、補助支持脚１２ａ、１２ｂの一方の下端が固定具６’に当接し、他方の下端がパチンコ島台７の適当な場所に当接する場合もあるし、補助支持脚１２ａ、１２ｂの両方がパチンコ島台７の適当な場所に当接する場合もある。
【符号の説明】
【００３０】
１  タンク本体
１ａ  底壁
２  アウト玉出口
３  フレキシブルパイプ
４  整列手段
５  溝
５ａ  溝の一端
５ｂ  溝の他端
６、６’  固定具
６ａ、６ａ’  固定板
６ｂ、６ｂ’  ネジ
６ｃ’  中間部
７  パチンコ島台
８  アウト玉回収樋
９  パチンコ遊技機
１０  アウト玉排出口
１１  カウントユニット
１２ａ、１２ｂ  補助支持脚
【図１】
0003167420.tif 000003
【図２】
0003167420.tif 000004
【図３】
0003167420.tif 000005
【図４】
0003167420.tif 000006
【図５】
0003167420.tif 000007